(57)【要約】【課題】  ケーブルの移動に伴う作業負荷を軽減することが可能なケーブル搬送装置を提供する。【解決手段】  舞台とこの舞台の上側に設けられる足場Ｆとの間に配置される照明器具（演出用電気機器）Ｌに接続される一以上のケーブルＫ１，Ｋ２を回収し、運搬するケーブル搬送装置Ａにおいて、上記足場Ｆの上側に水平方向に延びる一以上のレール１Ｌ，１Ｒと、これらレール１Ｌ，１Ｒに吊り下げられた状態で上記レール１Ｌ，１Ｒを走行する一以上の台車２と、これらの台車２に積載されて上記ケーブルＫ１，Ｋ２を繰り出し、巻き取る一以上のケーブルリール３Ａ，３Ｂとを備える。【選択図】  図１
2015073735.tif 000002
【特許請求の範囲】
【請求項１】
舞台とこの舞台の上側に設けられる足場との間に配置される演出用電気機器に接続される一以上のケーブルを回収し、運搬するケーブル搬送装置において、
上記足場の上側に水平方向に延びる一以上のレールと、これらレールに吊り下げられた状態で上記レールを走行する一以上の台車と、これらの台車に積載されて上記ケーブルを繰り出し、巻き取る一以上のケーブルリールとを備えることを特徴とするケーブル搬送装置。
【請求項２】
上記レールは、水平方向に二本並べて設けられており、
上記台車は、上記レールの一方を走行する一以上の一方側走行手段と、この一方側走行手段に連結される一方側支持体と、上記レールの他方を走行する一以上の他方側走行手段と、この他方側走行手段にリンク機構を介して連結される他方側支持体と、上記一方側支持体と上記他方側支持体の間に架設され上記ケーブルリールが積載される支持台とを備えており、上記リンク機構は、上記他方側走行手段と上記他方側支持体に対し進行方向に沿う軸回りに揺動可能とされていることを特徴とする請求項１に記載のケーブル搬送装置。
【請求項３】
上記一方側支持体には、上記台車の進行方向に並ぶ二つの上記一方側走行手段が連結されており、上記リンク機構には、一つの上記他方側走行手段が連結されていることを特徴とする請求項２に記載のケーブル搬送装置。
【請求項４】
上記レールは、上記舞台の奥行き方向に延びていることを特徴とする請求項１から請求項３の何れか一項に記載のケーブル搬送装置。
【請求項５】
上記レールは、鉛直方向に起立する中央片と、この中央片の下端から両側に上記中央片に対して垂直方向に延びる一対の下側フランジ片とを備えており、
上記一方側走行手段は、上記下側フランジ片の上面に当接し水平方向に沿う軸回りに回転する一対の車輪と、上記下側フランジ片の反中央片側端面に当接し鉛直方向に沿う軸回りに回転する一対のサイド車輪とを備えており、
上記他方側走行手段は、上記下側フランジ片の上面に当接し水平方向に沿う軸回りに回転する一対の車輪を備えていることを特徴とする請求項２を引用する請求項３または請求項４に記載のケーブル搬送装置。
【請求項６】
上記ケーブルは、二種類設けけられており、一方が上記演出用電気機器に制御信号を供給する信号ケーブルで、他方が上記演出用電気機器に電力を供給する電源ケーブルであるとともに、
上記ケーブルリールは、二台設けられており、一方が上記信号ケーブルを繰り出し、巻き取るとともに、他方が上記電源ケーブルを繰り出し、巻き取ることを特徴とする請求項１から請求項５の何れか一項に記載のケーブル搬送装置。
【発明の詳細な説明】
【技術分野】
【０００１】
本発明は、ケーブル搬送装置に関する。
【背景技術】
【０００２】
一般的に、演劇やコンサートに利用される多目的ホールや、テレビ局のスタジオでは、出演者を照らしたり地明かりをつくったりするための照明器具や、幕、書割等、種々の演出器具をバトンに吊っている。例えば、特許文献１には、バトンに吊り下げられて照明器具を保持する照明ブリッジが開示されており、異なるバトンに照明ブリッジを吊り替えることで、演目に合わせて照明器具の位置を変更できる。
【０００３】
照明器具等の電力供給が必要な演出用電気機器には、電源ケーブルや信号ケーブル等のケーブルが接続されており、上記したように、照明器具の位置を変更する場合、上記ケーブルも照明器具の位置に合わせて変更する必要がある。そこで、このような演出用電気機器の位置の変更がある場合には、ケーブルを回収して演出用電気機器の移動先に移動するため、ケーブル搬送装置が利用されることがある。
【０００４】
例えば、特許文献２に開示のように、照明器具を吊り下げるバトン上にケーブル受け籠を固定し、照明器具が上記ケーブル受け籠に収容されたケーブルから電力供給を受ける場合、上記ケーブル受け籠は、ケーブル搬送装置としても利用される。具体的には、照明器具の位置を変更する際、一旦、照明器具とともにケーブル受け籠を舞台上に降ろしてバトンから外し、照明器具からケーブルを外す。そして、ケーブル受け籠を手動フォークリフトで持ち上げて台車に載せ、舞台上を移動して照明器具の移動先に運ぶ。つづいて、この照明器具の移動先で、再度、ケーブル受け籠を手動フォークリフトで持ち上げて台車から降ろし、照明器具を吊るバトンに固定するとともに、ケーブルと照明器具とを接続する。
【先行技術文献】
【特許文献】
【０００５】
【特許文献１】特開平９−２６５８０４号公報
【特許文献２】特開平１０−１８２０１２号公報
【発明の概要】
【発明が解決しようとする課題】
【０００６】
しかしながら、場合によっては、ケーブル受け籠とケーブルの合計重量が２００ｋｇを超えることもあるので、ケーブルを収容したケーブル受け籠を台車に載せたり、降ろしたり、移動したり、異なるバトンに付け替えたりする際の作業負荷が極めて大きい。
【０００７】
そこで、本発明の目的は、ケーブルの移動に伴う作業負荷を軽減することが可能なケーブル搬送装置を提供することである。
【課題を解決するための手段】
【０００８】
上記課題を解決するための手段は、舞台とこの舞台の上側に設けられる足場との間に配置される演出用電気機器に接続される一以上のケーブルを回収し、運搬するケーブル搬送装置において、上記足場の上側に水平方向に延びる一以上のレールと、これらレールに吊り下げられた状態で上記レールを走行する一以上の台車と、これらの台車に積載されて上記ケーブルを繰り出し、巻き取る一以上のケーブルリールとを備えることである。
【発明の効果】
【０００９】
本発明のケーブル搬送装置によれば、ケーブルの移動に伴う作業負荷を軽減することが可能となる。
【図面の簡単な説明】
【００１０】
【図１】本発明の一実施の形態に係るケーブル搬送装置の取り付け状態を説明する正面図である。
【図２】図１の平面図である。
【図３】本発明の一実施の形態に係るケーブル搬送装置を具体的に示した正面図である。
【図４】他方側走行手段と、リンク機構を省略した図３の左側面図である。
【図５】一方側走行手段と、一方側支持体を省略した図３の右側面図である。
【図６】一方側走行手段部分を拡大して示した図である。
【図７】他方側走行手段部分を拡大して示した図である。
【図８】ストッパ部分を拡大して示した図である。
【図９】クッション部材部分を拡大して示した図である。
【発明を実施するための形態】
【００１１】
以下に本発明の一実施の形態に係るケーブル搬送装置について、図面を参照しながら説明する。いくつかの図面を通して付された同じ符号は、同じ部品か対応する部品を示す。
【００１２】
図１に示すように、本実施の形態に係るケーブル搬送装置Ａは、舞台とこの舞台の上側に設けられる足場Ｆとの間に配置される照明器具（演出用電気機器）Ｌに接続される一以上のケーブルＫ１，Ｋ２を回収し、運搬するものであり、上記足場Ｆの上側に水平方向に延びる一以上のレール１Ｌ，１Ｒと、これらレール１Ｌ，１Ｒに吊り下げられた状態で上記レール１Ｌ，１Ｒを走行する一以上の台車２と、これらの台車２に積載されて上記ケーブルＫ１，Ｋ２を繰り出し、巻き取る一以上のケーブルリール３Ａ，３Ｂとを備えている。
【００１３】
また、ケーブル用搬送装置Ａは、本実施の形態において、演劇やコンサートが催される多目的ホールに利用されている。この多目的ホールの構成は、周知であるので詳細に図示しないが、客席と、出演者が演目を披露する舞台とを備えている。客席から見える舞台の左右方向の幅が舞台の間口であり、客席から見た奥行きが舞台の奥行きである。なお、本発明に係るケーブル搬送装置Ａは、多目的ホール以外に利用されるとしてもよく、例えば、テレビ局のスタジオ等に利用されるとしてもよい。
【００１４】
舞台の上側（天井側）には、複数の梁と、これら梁上に架設される簀子状の足場板からなる足場Ｆが設置されており、当該足場Ｆの下側には、舞台の間口方向に延びるとともに、奥行き方向に複数並んで配置されるバトンＢがワイヤロープＷで略水平に吊り下げられている。バトンＢは、それぞれ、上下させることができ、照明器具Ｌや、幕、書割等、種々の演出器具を保持している。本実施の形態において、二本のバトンＢ（一方のバトンＢのみを図示し、他方のバトンを図示せず）を利用して照明ブリッジＬＢが吊り下げられており、当該照明ブリッジＬＢに複数の照明器具Ｌが取り付けられている。そして、照明ブリッジＬＢを異なるバトンＢに付け替えることで、照明器具Ｌの位置を舞台の手前や奥に移動することができる。
【００１５】
以下、上記照明器具Ｌに接続されるケーブルＫ１，Ｋ２を回収し、運搬するケーブル搬送装置Ａの各構成について詳細に説明する。以下の説明において、客席側から見たケーブル搬送装置Ａの左をケーブル搬送装置Ａの「左」、右を「右」、手前を「前」、奥を「後」とする。
【００１６】
ケーブル搬送装置Ａは、図１，２に示すように、舞台の間口方向に複数並んで配置されており、それぞれ、足場Ｆの上側を走る左右一対のレール１Ｌ，１Ｒと、これらのレール１Ｌ，１Ｒに吊り下げられた状態で前後に並んで上記レール１Ｌ，１Ｒを走行する複数の台車２とを備えている。そして、各台車２には、それぞれ、上下一対のケーブルリール３Ａ，３Ｂが積載されている。本実施の形態において、ケーブル搬送装置Ａが回収し、運搬するケーブルＫ１，Ｋ２は、照明器具Ｌに接続されるものであるが、照明器具Ｌ以外の、例えば、音響機器や、煙を発生するスモーク機器など、電力供給が必要な他の演出用電気機器に接続されるとしてもよい。また、ケーブル搬送装置Ａ、台車２、及びケーブルリール３Ａ，３Ｂの数や配置は、上記の限りではなく、適宜変更することが可能である。
【００１７】
台車２は、それぞれ、図３〜５に示すように、左側のレール１Ｌを走行する前後二つの一方側走行手段４Ａ，４Ｂと、これら一方側走行手段４Ａ，４Ｂに連結される一方側支持体２０と、右側のレール１Ｒを走行する一つの他方側走行手段５と、この他方側走行手段５に揺動可能に連結されるリンク機構２１と、このリンク機構２１に揺動可能に連結される他方側支持体２２と、一方側支持体２０と他方側支持体２２の間に架設される上下一対の支持台２３，２４と、台車２を任意の位置で停車させるストッパ６とを備えており、各支持台２３，２４に、ケーブルリール３Ａ，３Ｂがそれぞれ積載されている。
【００１８】
台車２が走行する左右一対のレール１Ｌ，１Ｒは、共に、Ｈ鋼（Ｈ形鋼）からなり、足場Ｆの上側に配置され、前後に略水平に延びるとともに、略平行とされている。図６，７に示すように、両レール１Ｌ，１Ｒは、共に、鉛直方向に起立する中央片１０と、この中央片１０の上端から左右に張り出し中央片１０に対して垂直方向に延びる一対の上側フランジ片１１，１２と、中央片１０の下端から左右に張り出し中央片１０に対して垂直方向に延びる一対の下側フランジ片１３，１４とを備えて、断面Ｈ形となっている。
【００１９】
そして、左側のレール１Ｌを走行する前後二つの一方側走行手段４Ａ，４Ｂは、図６に示すように、共に、左側のレール１Ｌの下側に配置される台座４０と、この台座４０の左右両側から起立する一対のブラケット４１，４１と、これらブラケット４１，４１に保持されて鉛直方向に起立する一対のピン４２，４２と、これらピン４２，４２に回転自在に保持されて下側フランジ片１３，１４の反中央片側の端面１３ａ，１４ａにそれぞれ当接する一対のサイド車輪４３，４３と、上記各ブラケット４１，４１の上端部に固定され中央片１０に向けて水平方向に延びる一対の車軸４４，４４と、これら車軸４４，４４の外周に回転自在に保持されて下側フランジ片１３，１４の上面に当接する一対の車輪４５，４５とを備えている。
【００２０】
そして、台車２の走行時において、車輪４５は、水平方向に沿う軸（車軸４４）回りに回転し、サイド車輪４３は、鉛直方向に沿う軸（ピン４２）回りに回転して、レール１Ｌに対する走行手段４Ａ，４Ｂの左右方向の移動を規制し、脱輪を防止する。また、各一方側走行手段４Ａ，４Ｂの台座４０には、それぞれ、下側に延びる連結片４０ａが設けられており、一方側走行手段４Ａ，４Ｂは、それぞれ、当該連結片４０ａを介して一方側支持体２０に連結されている。
【００２１】
他方、他方側走行手段５は、図７に示すように、右側のレール１Ｒの下側に配置される台座５０と、この台座５０の左右両側から起立する一対のブラケット５１，５１と、これらブラケット５１，５１の上端部に固定されレール１Ｒの中央片１０に向けて水平方向に延びる前後二対の車軸５２，５２（図７中、一方の一対の車軸５２，５２のみを図示し、他方の一対の車軸を図示せず）と、これら車軸５２，５２の外周に回転自在に保持されて下側フランジ片１３，１４の上面に当接する前後一対の車輪５３，５３（図７中、一方の一対の車輪５３，５３のみを図示し、他方の一対の車輪を図示せず）とを備えている。
【００２２】
そして、台車２の走行時において、車輪５３は、水平方向に沿う軸（車軸５２）回りに回転する。また、他方側走行手段５は、一方側走行手段４Ａ，４Ｂのサイド車輪４３に相当する構成を備えておらず、レール１Ｒに対する左右の動きが許容されている。このため、レール長が長くレール幅を均一にできなくても、他方側走行手段５がレール１Ｒに対して左右に動き、一方側走行手段４Ａ，４Ｂと他方側走行手段５の間隔をなるべく一定に維持できる。なお、他方側走行手段５は、一方側走行手段４Ａ，４Ｂのサイド車輪４３に相当する構成を備えていないものの、左側若しくは右側に配置される一方の車輪５３が最大限中央片１０側に寄ったとしても、他方の車輪５３が下側フランジ片（１３または１４）から外れないようになっており、これにより脱輪が防止されている。また、台座５０には、下側に延びる連結片５０ａが設けられており、他方側走行手段５は、当該連結片５０ａを介してリンク機構２１に連結される。
【００２３】
もどって、一方側走行手段４Ａ，４Ｂに連結される一方側支持体２０は、本実施の形態において、図３，４に示すように、鉛直方向に延び前端部に配置される上下一対の前縦支柱２０ａ，２０ｂと、同じく鉛直方向に延び後端部に配置される上下一対の後縦支柱２０ｃ，２０ｄと、上側の前縦支柱２０ａと上側の後縦支柱２０ｃの上部の間に架設される上横材２０ｅと、上側の前縦支柱２０ａと上側の前縦支柱２０ｃの下端をつなぐとともに下側の前縦支柱２０ｂと下側の後縦支柱２０ｄの上端をつなぐ中横材２０ｆと、下側の前縦支柱２０ｂと下側の後縦支柱２０ｄの下端をつなぐ下横材２０ｇとを備えて矩形枠状に形成されている。そして、上側の前縦支柱２０ａの上端が前側の一方側走行手段４Ａの連結片４０ａに剛接合されており、上側の後縦支柱２０ｃの上端が後側の走行手段４Ｂの連結片４０ｂに剛接合されている。
【００２４】
さらに、上側の前縦支柱２０ａには、上下一対のブラケット２０ｈ，２０ｉを介してストッパ６が取り付けられている。当該ストッパ６は、図８に示すように、筒状に形成されて内周面に螺子溝を有し上側のブラケット２０ｈに固定されるナット部材６０と、このナット部材６０の内周に螺合される螺子軸部材６１と、この螺子軸部材６１から上側に延びる上部延設軸６２と、この上部延設軸６２の上端部に固定されるパッド６３と、上記螺子軸部材６１から下側に延びて下側のブラケット２０ｉで回転可能に支持される下部延設軸６４と、この下部延設軸６４の下端部に固定されるハンドル６５とを備えている。
【００２５】
そして、上記ハンドル６５を回転すると、上記螺子軸部材６１、上部延設軸６２、パッド６３、下部延設軸６４及びハンドル６５が一体的に上下に動き、上記パッド６３をレール１Ｌの下面に押し当てることで、台車２の移動を規制し、台車２を任意の位置で停車させることができる。なお、ストッパ６の取り付け位置は、適宜変更することが可能であり、例えば、上側の後縦支柱２０ｃに取り付けられるとしてもよい。また、ストッパ６の構成も、適宜変更することが可能である。
【００２６】
また、上側の後縦支柱２０ｃには、ブラケット２０ｊを介してクッション部材７が取り付けられており、同じレール１Ｌ，１Ｒを走行する台車２同士が接触した時の衝撃を吸収できるようになっている。本実施の形態においては、クッション部材７がナット部材６０と同じ高さに配置されているので、前後の台車２が接触した時、前側の台車２のクッション部材７に、後側の台車２のナット部材６０が当接し、衝撃を吸収するようになっている。なお、このクッション部材７の取り付け位置や構成も、適宜変更することが可能である。
【００２７】
つづいて、他方側走行手段５にリンク機構２１を介して連結される他方側支持体２２は、本実施の形態において、図３，５に示すように、鉛直方向に延び前端部に配置される前縦支柱２２ａと、同じく鉛直方向に延び後端部に配置される後縦支柱２２ｂと、前縦支柱２２ａと後縦支柱２２ｂの上端をつなぐ上横材２２ｃと、前縦支柱２２ａと後縦支柱２２ｂの下端をつなぐ下横材２２ｄとを備えて矩形枠状に形成されている。
【００２８】
そして、上記リンク機構２１は、本実施の形態において、図５に示すように、上記上横材２２ｃの上側に上横材２２ｃに沿って水平方向に延びる横軸２１ａと、この横軸２１ａの軸方向の両端から上側に斜めに延びる一対の斜材２１ｂ，２１ｃと、これら斜材２１ｂ，２１ｃの上端部を繋ぐ連結部２１ｄとを備えて三角枠状に形成されている。さらに、リンク機構２１は、横軸２１ａの前側端部と他方側支持体２２の上横材２２ｃを揺動可能に連結する連結具２１ｆと、横軸２２ｃの後側端部と上横材２２ｃを揺動可能に連結する連結具２１ｇと、連結部２１ｄと他方側走行手段５の連結片５０ａとを揺動可能に連結する連結具２１ｈとを備えている。つまり、リンク機構２１は、他方側走行手段５と他方側支持体２２にピン接合されており、他方側走行手段５と他方側支持体２２に対し、進行方向に沿う軸回りに揺動可能とされている。
【００２９】
つづいて、一方側支持体２０と他方側支持体２２の間に架設される上下の支持台２３，２４は、共に、矩形板状に形成されている。図３〜５に示すように、一方側支持体２０の中横材２０ｆと、他方側支持体２２の上横材２２ｃは、略同じ高さに配置されており、これらの間に上側の支持台２３が架設されている。また、一方側支持体２０の下横材２０ｇと、他方側支持体２２の下横材２２ｄは、略同じ高さに配置されており、これらの間に下側の支持台２４が架設されている。上下の支持台２３，２４には、それぞれ、ケーブルリール３Ａ，３Ｂが固定されるとともに、台車２には、このケーブルリール３Ａ，３Ｂから延びるケーブルＫ１，Ｋ２を案内するガイドローラ２３ａ，２４ａが取り付けられている。
【００３０】
また、本実施の形態において、一方側支持体２０の中横材２０ｆと、他方側支持体２２の上横材２２ｃの前後の端部の間には、それぞれ、上横材２５ａ（前側の上横材２５ａのみを図示し、後側の上横材を図示せず）が架設されるとともに、一方側支持体２０の下横材２０ｇと、他方側支持体２２の下横材２２ｄの前後の端部の間には、それぞれ、下横材２５ｂ（前側の下横材２５ｂのみを図示し、後側の下横材を図示せず）が架設されている。そして、これら下横材２５ｂの間には、丸鋼管２６が架設されてベルト８を引っ掛けられるようになっており、当該ベルト８で丸鋼管２６と足場Ｆとをつないで台車２の揺れを抑制できるようになっている。
【００３１】
なお、台車２の構成は、上記の限りではなく、レール１Ｌ，１Ｒに吊り下げられるとともに、ケーブルリール３Ａ，３Ｂを積載しながらレール１Ｌ，１Ｒを走行可能な限りにおいて、適宜変更することが可能である。例えば、レール１Ｌ，１Ｒを走行する走行手段４Ａ，４Ｂ，５の数は、レール１Ｌ，１Ｒの数や構成により変更できる。また、ケーブルリール３Ａ，３Ｂを支える一方側支持体２０、他方側支持体２２及び支持台２３，２４の構成も、積載するケーブルリール３Ａ，３Ｂの数や大きさ、重量に応じて変更できる。
【００３２】
つづいて、本実施の形態において、上側の支持台２３に積載される小型のケーブルリール３Ａには、明るさ調整等の制御信号を照明器具Ｌに供給する信号ケーブルＫ１が巻き付けられ、下側の支持台２４に積載される大型のケーブルリール３Ｂには、電力を照明器具Ｌに供給する電源ケーブルＫ２が巻き付けられている。さらに、本実施の形態において、両ケーブルリール３Ａ，３Ｂは、スプリング式となっており、図示しないスプリングの反力でケーブルＫ１，Ｋ２を自動で巻き取れるようになっている。足場Ｆは、簀子状となっているので、各ケーブルリール３Ａ，３Ｂから繰り出されたケーブルＫ１，Ｋ２を、足場Ｆの隙間から下側に垂れ下げるとしてもよいが、足場ＦにケーブルＫ１，Ｋ２を垂れ下げる開口と、この開口を開閉する蓋を設けるとしてもよい。また、ケーブルリール３Ａ，３Ｂをモータや手動で駆動するとしてもよい。
【００３３】
以下、本実施の形態に係るケーブル搬送装置Ａの作動について説明する。
【００３４】
照明器具Ｌが吊られた照明ブリッジＢに向けて台車２を押すと、車輪４５，５３とサイド車輪４３が回転し、台車２がレール１Ｌ，１Ｒに吊り下げられた状態で移動する。このとき、レール幅が均一でなくても、レール幅が狭くなったり、広くなったりしている部分では、他方側走行手段５がレール１Ｒに対して左右に動いたり、リンク機構２１が傾斜して一方側走行手段４Ａ，４Ｂと他方側走行手段５との間隔を変えたりして、台車２が走行不能になることを防ぐことができる。
【００３５】
また、台車２を照明ブリッジＢに対応する位置まで移動させた後、照明ブリッジ２を吊るバトンＢを引き上げ、照明器具ＬにケーブルＫ１，Ｋ２を接続してからバトンＢを所定の位置まで下げると、このバトンＢの荷重でケーブルＫ１，Ｋ２がケーブルリール３Ａ，３Ｂから繰り出される。反対に、ケーブルＫ１，Ｋ２を照明器具Ｌから外した場合には、ケーブルリール３Ａ，３Ｂの図示しないスプリングの反力で、ケーブルＫ１，Ｋ２がケーブルリール３Ａ，３Ｂに自動で巻き取られ、ケーブルＫ１，Ｋ２を回収できる。
【００３６】
以下、本実施の形態に係るケーブル搬送装置Ａの作用効果について説明する。
【００３７】
本実施の形態において、ケーブルＫ１，Ｋ２は、二種類設けられており、一方が照明器具（演出用電気機器）Ｌに制御信号を供給する信号ケーブルＫ１で、他方が照明器具（演出用電気機器）Ｌに電力を供給する電源ケーブルＫ２である。そして、ケーブルリール３Ａ，３Ｂは、二台設けられており、一方（３Ａ）が上記信号ケーブルＫ１を繰り出し、巻き取るものであり、他方（３Ｂ）が上記電源ケーブルＫ２を繰り出し、巻き取るものである。
【００３８】
上記構成によれば、信号ケーブルＫ１を繰り出し、巻き取るケーブルリール３Ａと、電源ケーブルＫ２を繰り出し、巻き取るケーブルリール３Ｂを別けているので、信号ケーブルＫ１と電源ケーブルＫ２の太さが大きく異なる場合であっても、細いケーブル（本実施の形態においては、信号ケーブルＫ１）に負荷がかかることを抑制できる。なお、ケーブルＫ１，Ｋ２は、照明器具Ｌ以外の演出用電気機器に電力や制御信号を供給するものであるとしてもよく、ケーブルの種類や太さによっては、異なる種類のケーブルを一つのケーブルリールに巻き取るとしてもよい。
【００３９】
また、本実施の形態において、レール１Ｌ，１Ｒは、鉛直方向に起立する中央片１０と、この中央片１０の下端から両側に上記中央片１０に対して垂直方向に延びる一対の下側フランジ片１３，１４とを備えている。そして、一方側走行手段４Ａ，４Ｂは、下側フランジ片１３，１４の上面に当接し水平方向に沿う軸回りに回転する一対の車輪４５，４５と、下側フランジ片１３，１４の反中央片側端面１３ａ，１４ａに当接し鉛直方向に沿う軸回りに回転する一対のサイド車輪４３，４３とを備えている。また、他方側走行手段５は、下側フランジ片１３，１４の上面に当接し水平方向に沿う軸回りに回転する一対の車輪５３，５３を備えている。
【００４０】
上記構成によれば、一方側走行手段４Ａ，４Ｂがサイド車輪４３を備えているので、レール１Ｌに対する一方側走行手段４Ａ，４Ｂの左右の移動が規制され、レール１Ｌに沿って走行できる。他方、他方側走行手段５はサイド車輪４３に相当する構成を備えていないので、レール１Ｒに対する左右の移動が許容される。このため、レール長が長くレール幅を均一にできなくても、他方側走行手段５がレール１Ｒに対して左右に動き、一方側走行手段４Ａ，４Ｂと他方側走行手段５の間隔をなるべく一定に維持できる。なお、本実施の形態においては、他方側支持体２２と他方側走行手段５が、揺動可能なリンク機構２１を介して連結されているので、他方側走行手段５にもサイド車輪４３を設けるとしてもよい。また、中央片１０で車輪４５の脱輪を阻止できるので、一方側走行手段４Ａ，４Ｂのサイド車輪４３を廃するとしてもよい。さらに、本実施の形態において、他方側走行手段５は、前後二対の車輪５３，５３を備えているが、一対であっても、三対以上であってもよく、一方側走行手段４Ａ，４Ｂ及び他方側走行手段５の構成は適宜変更することが可能である。
【００４１】
また、本実施の形態において、レール１Ｌ，１Ｒは、舞台の奥行き方向に延びている。
【００４２】
一般的に、照明器具Ｌ等の演出用電気機器は、舞台の間口方向に延びるとともに舞台の奥行き方向に複数並ぶバトンＢを利用して、舞台の上側に吊られており、異なるバトンＢに吊り替えることで、その位置を舞台の前後に変更できる。このため、上記構成によれば、演出用電気機器に電気や制御信号を供給するケーブルＫ１，Ｋ２を演出用電気機器の位置の変更方向に移動できる。しかし、演出用電気機器の位置の変更が左右方向に行われる場合には、レール１Ｌ，１Ｒが舞台の間口に沿って延びるとしても良い。
【００４３】
また、本実施の形態において、一方側支持体２０には、台車２の進行方向に並ぶ二つの一方側走行手段４Ａ，４Ｂが連結されており、リンク機構２１には、一つの他方側走行手段５が連結されている。
【００４４】
上記構成によれば、三対の走行手段４Ａ，４Ｂ，５で一台の台車２を支えているので、全ての走行手段４Ａ，４Ｂ，５に荷重をかけることができ、車輪４５，５３の浮き上がりを抑制して、レール１Ｌ，１Ｒに対する接地性を良好にできる。なお、一方側走行手段４Ａ，４Ｂや他方側走行手段５の数や配置は、適宜変更することが可能であり、他方側走行手段５を二つ以上にしたり、一方側走行手段４Ａ，４Ｂを一つや、三つ以上にしたりするとしてもよい。
【００４５】
また、本実施の形態において、レール１Ｌ，１Ｒは、水平方向に二本並べて設けられており、台車２は、左側のレール１Ｌを走行する一方側走行手段４Ａ，４Ｂと、この一方側走行手段４Ａ，４Ｂに連結される一方側支持体２０と、右側のレール１Ｒを走行する他方側走行手段５と、この他方側走行手段５にリンク機構２１を介して連結される他方側支持体２２と、一方側支持体２０と他方側支持体２２の間に架設されケーブルリール３Ａ，３Ｂが積載される支持台２３，２４とを備えている。そして、リンク機構２１は、他方側走行手段５と他方側支持体２２に対し進行方向に沿う軸回りに揺動可能とされている。
【００４６】
つまり、本実施の形態においては、一方側走行手段４Ａ，４Ｂと一方側支持体２０とを剛接合するとともに、他方側走行手段５とリンク機構２１、及び、このリンク機構２１と他方側支持体２２とをピン接合しており、リンク機構２１は、その上側を下側に対し、左右に傾けることができる。このため、上記構成によれば、レール幅が均一でない場合であっても、リンク機構２１の傾きで、一方側走行手段４Ａ，４Ｂと他方側走行手段５が接近したり離間したりすることを許容でき、台車２の走行性を良好にできる。なお、一方側支持体２０を、リンク機構を介して一方側走行手段４Ａ，４Ｂに取り付けてもよい。また、本実施の形態において、一方側走行手段４Ａ，４Ｂと一方側支持体２０が左側に配置され、他方側走行手段５とリンク機構２１と他方側支持体２２が右側に配置されているが、逆であってもよい。また、台車２の構成は、上記の限りではなく、レール１Ｌ，１Ｒの数や構成に合わせて適宜変更することが可能である。
【００４７】
また、本実施の形態において、ケーブル搬送装置Ａは、足場Ｆの上側に水平方向に延びる一以上のレール１Ｌ，１Ｒと、これらレール１Ｌ，１Ｒに吊り下げられた状態で上記レール１Ｌ，１Ｒを走行する一以上の台車２と、これらの台車２に積載されてケーブルＫ１，Ｋ２を繰り出し、巻き取る一以上のケーブルリール３Ａ，３Ｂとを備えている。
【００４８】
上記構成によれば、照明器具Ｌ等の演出用電気機器の位置の変更がある場合であっても、演出用電気機器から外したケーブルＫ１，Ｋ２をケーブルリール３Ａ，３Ｂに巻き取って回収し、ケーブルリール３Ａ，３Ｂを台車２ごとレール１Ｌ，１Ｒに吊り下げて演出用電気機器の移動先まで運搬できる。したがって、ケーブルＫ１，Ｋ２の回収が容易であるとともに、回収したケーブルＫ１，Ｋ２を移動し易い。また、台車２へのケーブルＫ１，Ｋ２の積み降ろし作業が不要となるので、ケーブルＫ１，Ｋ２の移動に伴う作業負荷を格段に軽減することが可能となる。
【００４９】
また、上記構成によれば、足場Ｆの上側にレール１Ｌ，１Ｒが配置されており、足場Ｆとレール１Ｌ，１Ｒとの間を作業者が通行できるので、作業者がレール１Ｌ，１Ｒに引っかかる心配がなく、レール１Ｌ，１Ｒが足場Ｆ上で作業する作業者の通行や、作業の邪魔にならない。
【００５０】
以上、本発明の好ましい実施の形態を詳細に説明したが、特許請求の範囲から逸脱することなく改造、変形及び変更を行うことができることは理解すべきである。
【符号の説明】
【００５１】
Ａ  ケーブル搬送装置
Ｆ  足場
Ｋ１  信号ケーブル（ケーブル）
Ｋ２  電源ケーブル（ケーブル）
Ｌ  照明器具（演出用電子機器）
１Ｌ，１Ｒ  レール
２  台車
３Ａ，３Ｂ  ケーブルリール
４Ａ，４Ｂ  一方側走行手段
５  他方側走行手段
１０  中央片
１３，１４  下側フランジ片
１３ａ，１４ａ  端面
２０  一方側支持体
２１  リンク機構
２２  他方側支持体
２３，２４  支持台
【図１】
2015073735.tif 000003
【図２】
2015073735.tif 000004
【図３】
2015073735.tif 000005
【図４】
2015073735.tif 000006
【図５】
2015073735.tif 000007
【図６】
2015073735.tif 000008
【図７】
2015073735.tif 000009
【図８】
2015073735.tif 000010
【図９】
2015073735.tif 000011